(57)【要約】【課題】実装効率がよく、電気的な性能も落ちることなく、カメラのスペースを有効に使え、しかも、カメラ機種が異なっても、共通して使用することができ、組立性もよく、コストダウンを図ることを可能にする。【解決手段】複数の測距センサ２，３，４と測距センサ２，３，４のそれぞれに光束を導く光学系とを有する測距モジュール筐体１と、測距センサ２，３，４を他の回路に接続するプリント配線基板２１，３１，４１と、プリント配線基板２１，３１，４１に実装される電気部品類２３，３３，４３とを備え、測距モジュール筐体１は、外形に切欠部１ａを有し、プリント配線基板２１，３１，４１は、このプリント配線基板２１，３１，４１と切欠部１ａとで囲まれる空間に対応する位置に電気部品類２３，３３，４３を実装する実装範囲部が形成され、電気部品類２３，３３，４３は、その実装範囲部に集約して実装される。【選択図】        図１
2004348017.tif 000002
【特許請求の範囲】
【請求項１】
複数の光電変換センサと該光電変換センサのそれぞれに光束を導く光学系とを有する筐体と、
前記光電変換センサを他の回路に接続する配線基板と、
前記配線基板に実装される電気部品と、
を備える光学機器の光電変換ユニットであって、
前記筐体は、外形に切欠部を有し、
前記配線基板は、該配線基板と前記切欠部とで囲まれる空間に対応する位置に前記電気部品を実装する実装範囲部が形成され、
前記電気部品は、前記実装範囲部に集約して実装されること、
を特徴とする光学機器の光電変換ユニット。
【請求項２】
請求項１に記載の光学機器の光電変換ユニットにおいて、
前記筐体は、前記複数の光電変換センサの受光面を互いにほぼ直交配置しており、
前記切欠部は、前記光電変換センサの直交配置と前記光学系の配置とにより生ずる、前記光束が通過しない部分に存在すること、
を特徴とする光学機器の光電変換ユニット。
【請求項３】
請求項１又は請求項２に記載の光学機器の光電変換ユニットにおいて、
前記配線基板は、前記光電変換センサに対してそれぞれ、且つ、互いに重ねて配置され、前記実装範囲部が段ちがいに表出するように形成されており、
前記電気部品は、前記各配線基板の前記各実装範囲部に、集約して実装されること、
を特徴とする光学機器の光電変換ユニット。
【請求項４】
請求項１から請求項３までのいずれか１項に記載の光学機器の光電変換ユニットにおいて、
前記配線基板は、前記電気部品を実装しない屈曲自在な無実装範囲部を有し、その無実装範囲部で屈曲させることにより、前記他の回路への接続先を任意に変更して、前記他の回路の配置構成が異なる構造の光学機器に搭載可能であること、
を特徴とする光学機器の光電変換ユニット。
【発明の詳細な説明】
【０００１】
【発明の属する技術分野】
本発明は、オートフォーカスカメラに用いられる測距ユニット等に好適な光学機器の光電変換ユニットに関するものである。
【０００２】
【従来の技術】
従来、この種の測距ユニットは、フレキシブルプリント配線基板を用いて、イメージセンサ（測距センサ）を、固定部品（測距ＩＣ）に接続する実装構造が提案されている（例えば、特許文献１）。
図５は、従来の測距ユニットの一例を示す斜視図、図６は、図５の従来例の測距ユニットを搭載したカメラの横方向に切断した中央断面図である。
図５に示すように、従来の測距ユニットＵ３は、測距モジュール筐体１と、測距センサ２，３と、プリント配線基板２２，３２と、電気部品類２３，３３等とを備えている。
【０００３】
測距モジュール筐体１は、２つの測距センサ２，３と、上面に形成された筐体開口部１１から入射した光束を測距センサ２，３のそれぞれに導く光学系とを有している。また、測距モジュール筐体１は、左右側面に固定部１２が設けられ、固定部１２の穴を通過する線１３の図面上下方向に、不図示の固定軸を挿入させて、カメラ本体１００へ位置決め固定される。
【０００４】
測距センサ２は、受光素子２１を備えており、プリント配線基板２２を介して、その接続端子２４によって、別のプリント配線基板５に接続されている。このプリント配線基板２２には、電気部品類２３が実装されている。
同様に、測距センサ３は、受光素子３１を備えており、プリント配線基板３２を介して、その接続端子３４によって、別のプリント配線基板５に接続されている。このプリント配線基板３２には、電気部品類３３が実装されている。
【０００５】
図６に示すように、別のプリント基板５は、複数の電気実装範囲５１Ａ〜５１Ｄが存在し、その１つの電気実装範囲５１Ａに測距ＩＣ８等が実装されている。
プリント配線基板２２、３２は、電気部品側の境界６と接続端子側の境界７の間で屈曲可能である。
【０００６】
図６に示すように、カメラ本体１００は、略中央にミラーボックス１０１が設けられている。このミラーボックス１０１には、下側に開口部１０２が形成され、側面にミラー及び絞り駆動機構部１０３が設けられている。また、ミラーボックス１０１の上側には、ファインダ内表示構造部１０４が設けられている。このファインダ内表示構造部１０４は、上側にプリズム台座が形成されており、ペンタプリズム１０５が取り付けられている。
【０００７】
カメラ本体１００は、図６の右側にフイルム巻き上げ機構部１０６が配置され、左側にフイルム室１０７が配置されている。このフイルム室１０７には、フイルム１０８が装填され、その下側にフイルム巻き戻し機構部１０９が設けられている。フイルム巻き戻し機構部１０９と測距モジュール筐体１との間には、オートフォーカス駆動用モータ１１０が配置されている。
また、フイルム巻き上げ機構部１０６の下側には、電池及び専用バッテリー室１１１と、電源系回路部１１２が配置されている。
【０００８】
【特許文献１】
特開平９−２１８３４３号公報
【０００９】
【発明が解決しようとする課題】
上述した従来の技術において、測距モジュール筐体１は、測距センサ２，３の数にかかわらず概ね箱形に形成され、また、この測距センサ２，３に付随されるプリント配線基板２２，３２には、電気部品類２３，３３が実装されている。この電気部品類２３，３３は、測距モジュール筐体１の外形近傍に実装されるか、又は、プリント基板２２，３２の接続端子２４，３４の近傍に実装される。
つまり、一般的にプリント基板２２，３２は重ねて配置されるため、それぞれのプリント基板上に実装される電気部品類２３，３３は、プリント基板２２，３２上に分散して配置するか、あるいは、複数の場所で、実装範囲を有することとなり、実装効率が上がらないし、電気的な性能も落ちる可能性がある。また、カメラのスペースを無駄に使うことになる。
【００１０】
一方、近年開発コストを押さえる都合等のために、銀塩カメラ、デジタルカメラを問わず、複数機種のカメラに同一の測距モジュール筐体１が搭載されることがある。カメラが異なれば、カメラ全体の機構配置や実装配置も異なるので、測距モジュール筐体１自体を共通に使用できても、測距ＩＣ８が実装されている別のプリント配線基板５まで接続されるプリント配線基板２２，３２は、カメラ機種毎に個別に製造することが多い。
【００１１】
また、銀塩カメラに対してデジタルカメラは、ローパスフィルタをシャッタとＣＣＤなどの受像素子の間に入れる必要があるため、測距モジュール筐体１のカメラ搭載位置が変わり、前記と同様に、プリント配線基板２２，３２の接続先が異なってくるので、測距モジュール筐体１のプリント配線基板２２，３２は、カメラ機種毎に個別に製造することが多く、コスト増となり、かつ、組立も煩雑なものとなる。
【００１２】
さらに、プリント配線基板２２，３２が、カメラ機種毎に異なり、測距モジュール１のカメラへの搭載位置も異なれば、測距モジュール筐体１をカメラ本体へ位置決め固定するための治工具も非共通となるために、無駄なコストがかかることになる。
【００１３】
本発明の課題は、実装効率がよく、電気的な性能も落ちることなく、カメラのスペースを有効に使え、しかも、カメラ機種が異なっても、共通して使用することができ、組立性もよく、コストダウンを図ることができる光学機器の光電変換ユニットを提供することである。
【００１４】
【課題を解決するための手段】
本発明は、以下のような解決手段により、前記課題を解決する。なお、理解を容易にするために、本発明の実施形態に対応する符号を付して説明するが、これに限定されるものではない。
請求項１の発明は、複数の光電変換センサ（２，３，４）と該光電変換センサのそれぞれに光束を導く光学系とを有する筐体（１）と、前記光電変換センサを他の回路に接続する配線基板（２１，３１，４１）と、前記配線基板に実装される電気部品（２３，３３，４３）と、を備える光学機器の光電変換ユニットであって、前記筐体は、外形に切欠部（１ａ）を有し、前記配線基板は、該配線基板と前記切欠部とで囲まれる空間に対応する位置に前記電気部品を実装する実装範囲部が形成され、前記電気部品は、前記実装範囲部に集約して実装されること、を特徴とする光学機器の光電変換ユニットである。
【００１５】
請求項２の発明は、請求項１に記載の光学機器の光電変換ユニットにおいて、前記筐体は、前記複数の光電変換センサの受光面を互いにほぼ直交配置しており（２と３，２と４）、前記切欠部は、前記光電変換センサの直交配置と前記光学系の配置とにより生ずる、前記光束が通過しない部分に存在すること、を特徴とする光学機器の光電変換ユニットである。
【００１６】
請求項３の発明は、請求項１又は請求項２に記載の光学機器の光電変換ユニットにおいて、前記配線基板は、前記光電変換センサに対してそれぞれ、且つ、互いに重ねて配置され、前記実装範囲部が段ちがいに表出するように形成されており、前記電気部品は、前記各配線基板の前記各実装範囲部に、集約して実装されること、を特徴とする光学機器の光電変換ユニットである。
【００１７】
請求項４の発明は、請求項１から請求項３までのいずれか１項に記載の光学機器の光電変換ユニットにおいて、前記配線基板は、前記電気部品を実装しない屈曲自在な無実装範囲部（６〜７）を有し、その無実装範囲部で屈曲させることにより、前記他の回路（５）への接続先（５１）を任意に変更して、前記他の回路の配置構成が異なる構造の光学機器に搭載可能であること、を特徴とする光学機器の光電変換ユニットである。
【００１８】
【発明の実施の形態】
以下、図面等を参照して、本発明の実施の形態をあげて、さらに詳しく説明する。
（第１実施形態）
図１は、本発明による測距ユニットの第１実施形態を示す斜視図、図２は、第１実施形態による測距ユニットを搭載したカメラの横方向に切断した中央断面図である。
なお、前述した従来例と同様な機能を果たす部分には、同一の符号又は末尾に統一した符号を付して、重複する説明や図面を適宜省略する。
【００１９】
本実施形態のカメラＣ１の測距ユニットＵ１では、図１に示すように、測距モジュール筐体１は、付随させる測距センサ２，３，４の配置を、センサ３，４の受光面に対してセンサ２の受光面が直交するように配置することによって各センサに対する光学系の配置を変更することにより、測距に必要な光束に影響しない部分（光束が通過しない部分）の外形に、凹形状の切欠部１ａを有している。
【００２０】
互いに重ねて配置されたプリント配線基板２２，３２，４２は、このプリント配線基板２２，３２，４２と切欠部１ａにより生じる測距モジュール筐体１の近傍の空間に対応する位置において各基板の一部が段違いに表出するようにして、電気部品類２３，３３，４３を配置する実装範囲部Ａが形成されている。
そして、電気部品類２３，３３，４３は、プリント配線基板２２，３２，４２上の実装範囲部Ａに集約配置されている。
つまり、図２に示すように、測距モジュール筐体１は、測距センサ２，３及び測距センサ２，４の間にある２カ所の切欠部１ａにある空間であって、プリント配置基板２２，３２，４２上の実装範囲部に、電気部品類２３，３３，４３を集約させている。
また、プリント配線基板２２，３２，４２は、必要とする複数個の電気部品類２３，３３，４３が配置される部分の基板面が各々見えるように形成され、電気部品類２３，３３，４３を、互いのプリント配線基板２２，３２，４２との間に重ねることなく、平面的な部品実装を施すようにしてある。
【００２１】
また、これらのプリント配線基板２２，３２，４２は、境界６，７で囲まれた自由な屈曲が可能で部品実装をしない範囲（無実装範囲部）が、部品実装箇所（実装範囲部）と、プリント配線基板５との接続箇所との間に設けられている。
つまり、電気部品群２３，３３，４３の付近から、別のプリント基板５への接続端子２４，３４，４４の付近までを、屈曲可能区間（６〜７）とすることができ、図２に示すように、カメラＣ１の各機構間の有効スペースを屈曲させながら、別のプリント基板５へ接続することが可能となる。
【００２２】
（第２実施形態）
図３は、本発明による測距ユニットの第２実施形態を示す斜視図、図４は、第２実施形態による測距ユニットを搭載したカメラの横方向に切断した中央断面図である。
第２実施形態の測距ユニットＵ２を搭載したカメラＣ２は、図４に示すように、カメラ本体１００の右側に、電池及び専用バッテリー室１１１と、電源系回路部１１２を備え、左側に画像処理系回路部１１３を備えている。そして、カメラＣ２は、ミラーボックス１０１の右側のミラー及び絞り駆動機構部１０３と、電池及び専用バッテリー室１１１及び電源系回路部１１２との間に、別のプリント基板５の電気実装範囲５１があり、測距ＩＣ８が搭載されている。
【００２３】
プリント配線基板２２，３２，４２は、電気部品２３，３３，４３を切欠部１ａに集約配置することによりこれらを実装しない屈曲自在な無実装範囲部を有しているので、その無実装範囲部で屈曲させることにより、別のプリント基板５への接続先を任意に変更して、図２のカメラＣ１とはプリント基板５の配置構成が異なる構造のカメラＣ２に搭載可能にしたものである。
【００２４】
つまり、図３において、電気部品類２３，３３，４３付近の屈曲可能な境界６によって、プリント配線基板２２，３２，４２は、１８０°屈曲させることが可能とであり、別のプリント配線基板５への接続を、測距モジュール筐体１の反対側へ持っていくことができ、図４に示すように、カメラＣ２の実装が集中された箇所にある別のプリント基板５へ接続することが可能となる。
【００２５】
（変形形態）
以上説明した実施形態に限定されることなく、種々の変形や変更が可能であって、それらも本発明の均等の範囲内である。
（１）  例えば、測距ユニットを例に説明したが、他の光電変換ユニットであってもよい。
（２）カメラを例に説明したが、双眼鏡など他の光学機器であってもよい。
【００２６】
【発明の効果】
以上説明したように、本発明によれば、以下のような種々の効果がある。
（１）筐体の配線基板に必要な電気部品を、筐体の切欠部によりできた空間に集約させて実装することが可能となり、カメラの無駄なスペースを使わない。
つまりは、部品実装されない範囲を自由に屈曲させて、配線基板の接続先を任意に配置することが可能となり、異なる機構、実装の配置を有している機器や、測距モジュール筐体のカメラへの搭載位置の異なる機器など、複数機種の光学機器（カメラ等）に、それぞれ異なる配線基板を製造することもなく、同一の光電変換ユニットを搭載することが可能になり、コストを抑えることができる。
【００２７】
（２）また、光電変換センサのカメラ本体等へ位置決め固定する治工具も共通に使用することができるので、製造コストも抑えることができる。
（３）さらに、電気部品を集約させて実装することにより実装効率も上がり、ノイズなどの電気的性能もよくなる傾向にある。
【図面の簡単な説明】
【図１】本発明による測距ユニットの第１実施形態を示す斜視図である。
【図２】第１実施形態による測距ユニットを搭載したカメラの横方向に切断した中央断面図である。
【図３】本発明による測距ユニットの第２実施形態を示す斜視図である。
【図４】第２実施形態による測距ユニットを搭載したカメラの横方向に切断した中央断面図である。
【図５】従来の測距ユニットの一例を示す斜視図である。
【図６】図５の従来例の測距ユニットを搭載したカメラの横方向に切断した中央断面図である。
【符号の説明】
１…測距モジュール筐体
１１…筐体開口部
１２…本体への固定部
１３…不図示の固定軸が通過する線
２…第１の測距センサ
２１…第１の受光素子
２２…第１のプリント配線基板
２３…第１の電気部品類
２４…第１の接続端子
３…第２の測距センサ
３１…第２の受光素子
３２…第２のプリント基板
３３…第２の電気部品類
３４…第２の接続端子
４…第３の測距センサ
４１…第３の受光素子
４２…第３のプリント基板
４３…第３の電気部品類
４４…第３の接続端子
５…別のプリント基板
５１…別の電気実装範囲
６…屈曲可能範囲（電気部品側）
７…屈曲可能範囲（接続箇所側）
８…測距ＩＣ
１００…カメラ本体
１０１…ミラーボックス
１０２…ミラーボックス開口部
１０３…ミラー及び絞り駆動機構部
１０４…ファインダ内表示構造部
１０５…ペンタプリズム
１０６…フイルム巻き上げ機構部
１０７…フイルム室
１０８…フイルム
１０９…フイルム巻き戻し機構部
１１０…オートフォーカス駆動用モータ
１１１…電池及び専用バッテリー室
１１２…電源系回路部
１１３…画像処理系回路部
【図１】
2004348017.tif 000003
【図２】
2004348017.tif 000004
【図３】
2004348017.tif 000005
【図４】
2004348017.tif 000006
【図５】
2004348017.tif 000007
【図６】
2004348017.tif 000008